(57)【要約】【課題】映像の不正コピーを阻止する表示システムを提供する。【解決手段】パーソナルコンピュータＰＣ１は、ＰＣ本体１０と本体１０から送出されたフレーム毎の映像を表示する画面データを受けその映像を画面上に表示するディスプレイ２０とを備える。出力手段１２は画面データを出力し、切替手段１３は出力される画面データの表示信号（Ｒ／Ｇ／Ｂ）と同期信号（ＨＳ／ＶＳ）とを受け、コネクタ１１の端子順を所定の端子順から指定の端子順に切替える。通知手段１４は表示信号と同期信号とがディスプレイ２０に送出される前に、切替えられるコネクタ１１の端子順を暗号化してディスプレイ２０へ通知する。この暗号を解読手段２３が解読し、復元手段２２がコネクタ２１から入力される表示信号と同期信号とを所定の端子順の信号に復元し、表示手段２４が復元した画面データに応じて映像を画面上に表示する。【選択図】　　　図１
2004015316.tif 000002
【特許請求の範囲】
【請求項１】
フレーム毎の映像を表示するための画面データを送出する制御ユニットとコネクタを介して該画面データを受けその映像を画面上に表示する表示ユニットとを備えた表示システムにおいて、
前記制御ユニットは、
前記画面データを出力する出力手段と、
表示信号と同期信号として出力される前記画面データを送出するコネクタの端子順をフレーム毎に所定の端子順から指定の端子順に切替える切替手段と、
前記コネクタの前記指定の端子順を前記切替手段に指定するとともに前記表示ユニットに通知する通知手段とを備え、
前記表示ユニットは、
前記通知手段により通知された前記コネクタの端子順を解読する解読手段と、
前記解読手段により解読された前記コネクタの端子順にしたがって、前記切替手段により切替えられた前記コネクタから入力される前記画面データの表示信号と同期信号とを前記所定の端子順で入力されるように復元する復元手段と、
前記復元手段により復元された前記画面データの表示信号と同期信号とに応じて前記映像を画面上に表示する表示手段とを備える、
ことを特徴とする表示システム。
【請求項２】
前記制御ユニットは、前記同期信号のうち垂直同期信号のフレーム切替直前の出力期間に前記表示信号に重畳して、前記出力手段から出力される暗号解読用のプログラムと暗号化され指定された前記コネクタの端子順の切替パターン情報とを格納する記憶部を備える、
請求項１に記載の表示システム。
【請求項３】
前記制御ユニットは、前記通知手段を介して前記解読手段に送った暗号解読プログラムに基づき前記解読手段により解読された前記表示ユニットの暗号化された最新のＩＤ情報を読取り、該表示ユニットが登録済みのものか否かを識別し、該表示ユニットが登録済みのものでないと判定したとき、前記出力手段からの前記画面データの出力を停止する、
請求項１または２に記載の表示システム。
【発明の詳細な説明】
【０００１】
【発明の属する技術分野】
本発明は、制御ユニット（例えばパーソナルコンピュータＰＣ本体）とコネクタを介してこれに接続される表示ユニット（例えばディスプレイＣＲＴ）を備えた表示システム（例えばパーソナルコンピュータＰＣシステム）に関し、特に、制御ユニットからコネクタを介して送出されるフレーム毎の映像を不正コピーされずに表示ユニットの画面上に表示する表示システムに関する。
【０００２】
【従来の技術】
パーソナルコンピュータ（以下、単にパソコンまたはＰＣと記す）は、パソコンＰＣ本体のコネクタ端子からフレーム毎の映像を表示する画面データを出力し、ＰＣ本体にケーブルで接続されるディスプレイ（例えばＣＲＴ）のコネクタ端子からこの画面データを受け、ディスプレイの画面上にフレーム毎の映像を表示する。これらのコネクタの端子順は、画面データの表示信号（Ｒ／Ｇ／Ｂ）と同期信号（ＨＳ／ＶＳ）に対して決められている。
【０００３】
【発明が解決しようとする課題】
上記コネクタの端子順が決められていることを利用して、パソコン本体のコネクタ端子の出力信号からパソコン本体に取込まれている表示コンテンツ（ＤＶＤソフト等）が不正にコピーされる虞がある。表示コンテンツによっては、コピーの禁止やコピー回数が指定されているものがあり、表示信号（Ｒ／Ｇ／Ｂ）と同期信号（ＨＳ／ＶＳ）として出力される画面データの不正コピーを防止する必要がある。
【０００４】
それゆえ、本発明は、ＰＣ本体のような制御ユニットからコネクタを介して送出されるフレーム毎の映像を表示するための画面データが不正にコピーされることを阻止する表示システムを提供することを目的とする。
【０００５】
【課題を解決するための手段】
上記目的を達成する本発明の表示システムは、フレーム毎の映像を表示するための画面データを送出する制御ユニットとコネクタを介して該画面データを受けその映像を画面上に表示する表示ユニットとを備えた表示システムにおいて、前記制御ユニットは、前記画面データを出力する出力手段と、表示信号と同期信号として出力される前記画面データを送出するコネクタの端子順をフレーム毎に所定の端子順から指定の端子順に切替える切替手段と、前記コネクタの前記指定の端子順を前記切替手段に指定するとともに前記表示ユニットに通知する通知手段とを備え、前記表示ユニットは、前記通知手段により通知された前記コネクタの端子順を解読する解読手段と、前記解読手段により解読された前記コネクタの端子順にしたがって、前記切替手段により切替えられた前記コネクタから入力される前記画面データの表示信号と同期信号とを前記所定の端子順で入力されるように復元する復元手段と、前記復元手段により復元された前記画面データの表示信号と同期信号とに応じて前記映像を画面上に表示する表示手段とを備える、ことを特徴とする。
【０００６】
上記表示システムにおいて、前記制御ユニットは、前記同期信号のうち垂直同期信号のフレーム切替直前の出力期間に前記表示信号に重畳して、前記出力手段から出力される暗号解読用のプログラムと暗号化され指定された前記コネクタの端子順の切替パターン情報とを格納する記憶部を備える。
【０００７】
本発明では、上記構成により、制御ユニットから表示信号と同期信号として出力される画面データの不正コピーを防止するため、制御ユニット側で切替手段によりコネクタの端子順をフレーム毎に逐次切替え、通知手段によりその切替えられたコネクタの端子順の情報を暗号化し表示ユニット側へ伝達し、表示ユニット側の解読手段でコネクタの端子順の情報を解読し復元手段で端子順が切替えられたコネクタから入力される画面データの表示信号と同期信号との順をコネクタの所定の端子順で入力されるように復元するので、暗号解読機能と表示／同期信号復元機能とをもった表示ユニットのみが正常な画面表示でき、他の複写装置では正常な画面表示ができず不正コピーを防止できる。
【０００８】
また、上記表示システムにおいて、前記制御ユニットは、前記通知手段を介して前記解読手段に送った暗号解読プログラムに基づき前記解読手段により解読された前記表示ユニットの暗号化された最新のＩＤ情報を読取り、該表示ユニットが登録済みのものか否かを識別し、該表示ユニットが登録済みのものでないと判定したとき、前記出力手段からの前記画面データの出力を停止する。
【０００９】
また、上記構成により、表示ユニットのＩＤ情報が確認された後に制御ユニットから画面データを送出するので、ＩＤ情報が確認されない他の複写装置での不正コピーをより確実に防止できる。
【００１０】
【発明の実施の形態】
以下、添付図面を参照しつつ本発明の実施の形態を詳細に説明する。
【００１１】
図１は本発明の表示システムの原理構成図である。図１全体に示す表示システム１は、制御ユニット（ＰＣ本体）１０と制御ユニット１０から送出されたフレーム毎の映像を表示するための画面データを受けその映像を画面上に表示する表示ユニット（ディスプレイ）２０とを備える。
【００１２】
制御ユニット１０は、コネクタ１１、出力手段１２、切替手段１３および通知手段１４を備える。
【００１３】
出力手段１２は、フレーム毎に前記画面データを出力するとともにコネクタの指定の端子順を通知手段１４に通知する。
【００１４】
切替手段１３は、出力手段１２と第１コネクタ１１の間に設けられ、出力手段１２から出力される画面データの表示信号（Ｒ／Ｇ／Ｂ）と同期信号（ＨＳ／ＶＳ）とを受け、第１コネクタ１１の端子順を所定の端子順から指定の端子順に切替えて前記表示信号と同期信号とを送出する。
【００１５】
通知手段１４は、前記表示信号と同期信号とが表示ユニット２０に送出される前に、切替手段１３により切替えられるコネクタ１１の指定の端子順を暗号化して表示ユニット２０へ通知する。
【００１６】
表示ユニット２０は、コネクタ２１、復元手段２２、解読手段２３および表示手段２４を備える。
【００１７】
復元手段２２は、コネクタ２１と表示手段２４との間に設けられ、解読手段２３により解読されたコネクタ２１の端子順に従い切替手段１３により切替えられコネクタ２１から入力される前記表示信号と同期信号とを所定の端子順で入力された信号に復元する。
【００１８】
解読手段２３は、通知手段１４により通知された暗号化された切替え後のコネクタ２１の端子順を解読する。
【００１９】
表示手段２４は、復元手段２２により復元された前記画面データの表示信号と同期信号とに応じて前記映像を画面（図示せず）上に表示する。
【００２０】
次に、図１に示す本発明の表示システムを実施した例を図２と図３を用いて以下に説明する。この実施例の表示システム（パーソナルコンピュータシステム）１において、図１の制御ユニット１０がパーソナルコンピュータＰＣ本体１１０に相当し、表示ユニット２０がディスプレイＣＲＴ１２０に相当する。
【００２１】
図２は本発明の実施例の表示システム（パーソナルコンピュータシステム）におけるパーソナルコンピュータＰＣ本体１１０側の構成図である。図１に示す出力手段１２、切替手段１３、通知手段１４およびコネクタ１１は、図２に示すビデオ制御回路１１２、切替回路１１３、暗号設定回路１１４および出力コネクタ１１１に相当し、それぞれ同様な機能を有する。
【００２２】
ビデオ制御回路（ＬＳＩチップ）１１２からフレーム毎の映像を表示するための画面データ、すなわち表示信号（Ｒ／Ｇ／Ｂ）と同期信号（ＨＳ／ＶＳ）が出力され、切替回路１１３、出力コネクタ１１１を経由しケーブル（図示せず）を介してＣＲＴ１２０へ送出される。
【００２３】
暗号設定回路１１４は、フレーム毎の表示信号と同期信号とがディスプレイＣＲＴ１２０に送出される前に、切替回路１１３により切替えられるコネクタ１１１の指定の端子順を暗号化してＣＲＴ１２０へ通知する。また、暗号設定回路１１４は、切替回路１１３によりコネクタ１１１の端子順を切替える指定の切替パターン情報を格納する記憶部１１４ａを有する。なお、記憶部１１４ａはＰＣ本体１１０内の暗号設定回路１１４以外の他の回路内に設けてもよい。
【００２４】
切替回路１１３は、暗号設定回路１１４に入力された暗号解読用プログラムとコネクタ１１１の端子順の切替パターン情報とを用いて暗号設定回路１１４が解読した結果によって指定の端子順にコネクタ１１１の切替パターンを変更する。
【００２５】
図３は本発明の実施例の表示システム（パーソナルコンピュータシステム）におけるディスプレイＣＲＴ１２０側の構成図である。図１に示すコネクタ２１、復元手段２２、解読手段２３および表示手段２４は、図３に示す入力コネクタ１２１、復元回路１２２、暗号解読回路１２３および画面表示回路１２４に相当し、それぞれ同様な機能を有する。ＣＲＴ１２０はマイクロコンピュータを搭載している。
【００２６】
入力コネクタ１２１から入力される画面データの表示信号（Ｒ／Ｇ／Ｂ）と同期信号（ＨＳ／ＶＳ）は、復元回路１２２を経由して画面表示回路１２４に入力される。
【００２７】
これらの表示信号（Ｒ／Ｇ／Ｂ）や同期信号（ＨＳ／ＶＳ）は、暗号解読（逆変換）回路１２３にしたがって復元回路１２２で復元され、復元された信号が、復元回路１２２から画面表示回路１２４および暗号解読（逆変換）回路１２３へ送出される。
【００２８】
また、暗号解読（逆変換）回路１２３は、記憶部１２３ａに格納した暗号解読用プログラムを用いてＣＲＴ１２０のＩＤ情報を読取りＰＣ本体１１０側のビデオ制御部１１２からの読取り要求に対しＣＲＴ１２０の最新のＩＤ情報を送出する。なお、記憶部１２３ａはＣＲＴ１２０内の暗号解読回路１２３以外の他の回路内に設けてもよい。
【００２９】
次に、本発明による表示システム（パーソナルコンピュータシステム）の画面データの表示手順について図４〜７を参照しつつ以下に説明する。
【００３０】
図４は送出される表示信号と同期信号と暗号信号のタイムチャートであり、図５は図４の詳細タイムチャートである。図６はディスプレイの画面上を走査する電子ビームの同期信号（ＶＳ／ＨＳ）の説明図である。
【００３１】
画面データは同期信号（ＶＳ／ＨＳ）および表示信号（Ｒ／Ｇ／Ｂ）として出力される。同期信号の内、垂直走査信号ＶＳは、例えば約６０Ｈｚののこぎり波であり、電子ビームをＣＲＴ１２０の画面６０の垂直方向（図６を正面から見て上下方向）に走査させるものである。同期信号の内、水平走査信号ＨＳは、例えば約１５ＫＨｚののこぎり波であり、電子ビームを画面６０の水平方向（図６を正面から見て左右方向）に走査させるものである。これらのこぎり波により、電子ビームは画面上で水平には速く、垂直にはゆっくり走査される。
【００３２】
電子ビームは、画面６０の正面から見て左上コーナ６１を走査の開始位置とし、まず水平方向に右上コーナ６２へ向かって走査され、右から左へ戻るとき垂直方向に上から下へと徐々に移動しながら、水平方向を左右に走査し、走査の終了位置、すなわち右下コーナ６３に至った後再び開始位置の左上コーナ６１まで垂直方向に下から上へと一気に戻る動作を行い、フレーム毎にこの動作が繰返される。
【００３３】
表示信号（Ｒ／Ｇ／Ｂ）は、電子ビームが走査の開始位置６１から終了位置６３まで移動する期間Ｔｂ（図４参照）の間に、パソコン本体からディスプレイに送られる。なお、水平同期信号（ＨＳ）は、垂直同期信号（ＶＳ）が切替わる期間、すなわち電子ビームが画面の右下コーナから左上コーナに戻る間に、画面表示のために表示信号（Ｒ／Ｇ／Ｂ）を送る必要はないが、ＨＳは、数１０ＫＶにおよぶ高電圧の生成にも使用される信号なので、一度信号を切ると表示が安定するまでに時間を要するので途切れることなく継続的に送られる。
【００３４】
暗号信号、すなわち暗号解読用プログラムとコネクタの端子順の切替パターン情報は、第Ｎフレームデータ（Ｎ＝１）を送る場合は、パソコン電源投入後の第１フレームデータを送る前に、第Ｎフレームデータ（Ｎ≧２）を送る場合は、電子ビームが走査の終了位置から開始位置に戻る期間Ｔｒ（図４、５参照）の内の最初の期間Ｔａ（図４、５参照）の間に、ビデオ制御回路１１２から暗号設定回路１１４および暗号解読回路１２３に送られる。
【００３５】
図７は本発明による表示システム（パーソナルコンピュータシステム）の画面表示ルーチンのフローチャートである。まず、ステップＳ１では、パソコンの電源投入後、フレーム毎の映像を表示するための画面データが第Ｎフレームデータ（Ｎ＝１）より小か否かを判定し、判定結果がＹＥＳのときはステップＳ２に進み、判定結果がＮＯのときはステップＳ１１進む。ここで、フレームデータの番号は、ビデオ制御回路１１２に設けられたフレームカウンタでカウントされる。フレームカウンタは、電源投入時に０にリセットされ、本ルーチン終了毎にカウント値を１つづつインクリメントする。
【００３６】
ステップＳ２では、画面データの第１フレームデータの送信前の所定期間Ｔａ（図４、５参照）内に、ビデオ制御回路１１２から暗号設定回路１１４および暗号解読回路１２３に暗号解読用プログラムとコネクタの端子順の切替パターン情報とを送る。
【００３７】
次にステップＳ３では、暗号解読回路１２３は暗号解読用プログラムによりディスプレイ１２０の記憶部に格納されている識別（ＩＤ）データを読取り解読し、解読したＩＤをビデオ制御回路１１２に送り、ビデオ制御回路１１２はこのＩＤを受けてディスプレイ１２０がパソコンＰＣ本体１１０に登録されたＩＤであるか否かを判定し、判定結果がＹＥＳのときはステップＳ４に進み、判定結果がＮＯのときは本ルーチンを終了する。
【００３８】
ステップＳ４では、上記所定期間Ｔａ経過後における次のＨＳ信号のタイミングＴｃ（図５参照）で暗号設定回路１１４の記憶部１１４ａに格納されたコネクタの端子順の切替パターン情報にしたがって切替回路１１３によりコネクタ１１１の端子順を切替える。
【００３９】
ステップＳ５では、暗号解読回路１２３の記憶部１２３ａに格納されたコネクタの端子順の切替パターン情報にしたがって切替パターンを解読する。
【００４０】
ステップＳ６では、暗号解読回路１２３により解読された切替パターンにしたがって復元回路１２２によりコネクタ１２１の端子順を復元（逆変換）する。
【００４１】
ステップＳ７では、画面データの第Ｎフレームデータの送信時における同期信号（ＶＳ／ＨＳ）が画面上の走査開始位置（図６の６１）から走査終了位置（図６の６２）まで走査する期間Ｔｂ（図４、５参照）に、画面データの第Ｎフレームデータの送信時における同期信号（ＶＳ／ＨＳ）および表示信号（Ｒ／Ｇ／Ｂ）に応じて画面表示回路１２４により画面を表示する。
【００４２】
一方、ステップＳ１で判定結果がＮＯのとき、すなわち画面データが第Ｎフレームデータ（Ｎ≧１、Ｎは整数）のとき、ステップＳ１１では、今回送信の第Ｎフレームデータが所定周期、例えば約１０分に相当するものか否か、すなわちＶＳの周期が６０Ｈｚであれば３６０００フレーム目か否かを判定し、その判定結果がＹＥＳのときはフレームカウンタのカウント値を０にリセットした後、ステップＳ１２に進み、その判定結果がＮＯのときステップＳ１３に進む。ステップＳ１１、１２はディスプレイ１２０のＩＤが登録されたものか否かを定期的に確認するために行う。
【００４３】
ステップＳ１２では、画面データの第Ｎフレームデータ（Ｎ≧１、Ｎは整数）の送信時における同期信号（ＶＳ／ＨＳ）の内ＶＳが画面の垂直方向に画面上の走査終了位置から走査開始位置へ戻る期間Ｔｒ（図４、５参照）の内最初の所定期間Ｔａに、ビデオ制御回路１１２から暗号設定回路１１４および暗号解読回路１２３に暗号解読用プログラムとコネクタの端子順の切替パターン情報とを送り、次いでステップＳ３に進む。
【００４４】
ステップＳ１３では、画面データの第Ｎフレームデータ（Ｎ≧１、Ｎは整数）の送信時における同期信号（ＶＳ／ＨＳ）の内ＶＳが画面の垂直方向に画面上の走査終了位置から走査開始位置へ戻る期間Ｔｒの内最初の所定期間Ｔａに、ビデオ制御回路１１２から暗号設定回路１１４および暗号解読回路１２３にコネクタの端子順の切替パターン情報を送り、次いでステップＳ４に進む。
【００４５】
以上のように、パソコン本体１１０は、定期的に接続されているディスプレイ１２０の登録ＩＤを読み取り、表示資格の有無を監視し、表示資格がないディスプレイの場合、表示出力を止める。一方、表示資格があるディスプレイの場合、表示信号を出力するが、コピー防止のため、フレーム毎にコネクタの端子順を切替えて表示信号を出力する。
【００４６】
コネクタの端子順の切替情報は、予め暗号化し、１フレーム毎にディスプレイへ送信する。
【００４７】
ディスプレイは、受信した暗号を解読し、次のフレームのコネクタの端子順がどのように切替えられているかを知る。
【００４８】
ディスプレイは、復元回路により、切替えられたコネクタの端子順に従って、入力された表示信号を所定の信号に振分けて復元する。
【００４９】
次に、ディスプレイのＩＤ情報について補足説明する。パソコン本体は、予めディスプレイの暗号解読回路１２３の記憶部１２３ａに格納されている「ＩＤ情報」を読み取り、そのディスプレイが登録されたディスプレイであることを確認し、表示情報Ｒ、Ｇ、Ｂに重畳させた暗号信号を所定の周期、例えば１０分毎に発生させ前述の期間Ｔａにディスプレイに送信する。
【００５０】
ディスプレイのＩＤ情報は、暗号解読回路１２３により、暗号をもとにして最新情報に書替えられる。
【００５１】
パソコン本体は、所定の周期で都度ディスプレイのＩＤ情報を読取り、ディスプレイが適正なＩＤであることを確認し、ディスプレイに表示情報を継続して出力する。
【００５２】
最後に、切替手順について補足説明する。パソコン本体は、同期信号（ＨＳ／ＶＳ）の内ＶＳが画面の垂直方向に画面上の走査終了位置から走査開始位置へ戻る期間Ｔｒ（図４、５参照）の内最初の所定期間Ｔａに、次の（Ｎ＋１）フレーム期間のコネクタピンの配列切替パターン情報（暗号化された手順）を表示信号（Ｒ／Ｇ／Ｂ）に重畳して出力する。
【００５３】
一方、ディスプレイは、暗号解読回路１２３により、所定期間Ｔａ経過後における次の水平同期信号ＨＳのタイミングＴｃに、前のフレームで指定された信号切替手順にしたがって受信した同期信号（ＶＳ）期間の表示信号（Ｒ／Ｇ／Ｂ）から次のフレームの信号切替手順を読取る。
【００５４】
信号切替手順は、暗号化されたパターン（ｍ／ｍ＋１）で指定される。
【００５５】
それぞれのパターンは、次フレーム内での１回の切替手順を指定することが可能である。
【００５６】
（付記１）　フレーム毎の映像を表示するための画面データを送出する制御ユニットとコネクタを介して該画面データを受けその映像を画面上に表示する表示ユニットとを備えた表示システムにおいて、
前記制御ユニットは、
前記画面データを出力する出力手段と、
表示信号と同期信号として出力される前記画面データを送出するコネクタの端子順をフレーム毎に所定の端子順から指定の端子順に切替える切替手段と、
前記コネクタの前記指定の端子順を前記切替手段に指定するとともに前記表示ユニットに通知する通知手段とを備え、
前記表示ユニットは、
前記通知手段により通知された前記コネクタの端子順を解読する解読手段と、前記解読手段により解読された前記コネクタの端子順にしたがって、前記切替手段により切替えられた前記コネクタから入力される前記画面データの表示信号と同期信号とを前記所定の端子順で入力されるように復元する復元手段と、
前記復元手段により復元された前記画面データの表示信号と同期信号とに応じて前記映像を画面上に表示する表示手段とを備える、
ことを特徴とする表示システム。
【００５７】
（付記２）　前記制御ユニットは、前記同期信号のうち垂直同期信号のフレーム切替直前の出力期間に前記表示信号に重畳して、前記出力手段から出力される暗号解読用のプログラムと暗号化され指定された前記コネクタの端子順の切替パターン情報とを格納する記憶部を備える、
付記１に記載の表示システム。
【００５８】
（付記３）　前記制御ユニットは、前記表示ユニット内に格納された該表示ユニットのＩＤ情報を読取り、該表示ユニットが登録済みのものか否かを識別し、該表示ユニットが登録済みのものでないと判定したとき、前記出力手段からの前記画面データの出力を停止する、
付記１または２に記載の表示システム。
【００５９】
（付記４）　前記制御ユニットは、前記通知手段を介して前記解読手段に送った暗号解読プログラムに基づき前記解読手段により解読された前記表示ユニットの暗号化された最新のＩＤ情報を読取り、該表示ユニットが登録済みのものか否かを識別し、該表示ユニットが登録済みのものでないと判定したとき、前記出力手段からの前記画面データの出力を停止する、
付記１または２に記載の表示システム。
【００６０】
（付記５）　前記コネクタの前記指定の端子順は、前記表示信号と同期信号の内、前記表示信号を出力するコネクタの端子順だけを切替えるものである、
付記１乃至４の何れか一つに記載の表示システム。
【００６１】
（付記６）　前記コネクタの前記指定の端子順は、前記表示信号と同期信号の内、前記表示信号と前記同期信号の内、垂直同期信号または水平同期信号の何れか一方を出力するコネクタの端子順を切替えるものである、
付記１乃至４の何れか一つに記載の表示システム。
【００６２】
（付記７）　前記コネクタの前記指定の端子順は、前記表示信号と同期信号を出力するコネクタの端子順の全てを切替えるものである、
付記１乃至４の何れか一つに記載の表示システム。
【００６３】
【発明の効果】
以上説明したように、本発明によれば、映像を表示するための画面データがパーソナルコンピュータ本体のような制御ユニットからコネクタを介してディスプレイへ送出される際にフレーム毎にコネクタの出力端子を変化させ画面データをディスプレイ内部で復元するので、コネクタに外部接続したコピー装置により映像が不正にコピーされることを阻止できる表示システムを提供できる。
【図面の簡単な説明】
【図１】本発明の表示システムの原理構成図である。
【図２】本発明の実施例の表示システムにおけるパーソナルコンピュータ本体側の構成図である。
【図３】本発明の実施例の表示システムにおけるディスプレイ側の構成図である。
【図４】送出される表示信号と同期信号と暗号信号のタイムチャートである。
【図５】図４の詳細タイムチャートである。
【図６】ディスプレイの画面上を走査する電子ビームの同期信号（ＶＳ／ＨＳ）の説明図である。
【図７】本発明による表示システムの画面表示ルーチンのフローチャートである。
【符号の説明】
１…表示システム
１０、１１０…制御ユニット（パーソナルコンピュータ本体）
１１…コネクタ
１２…出力手段
１３…切替手段
１４…通知手段
２０、１２０…表示ユニット（ディスプレイ）
２１…コネクタ
２２…復元手段
２３…解読手段
２４…表示手段
【図１】
2004015316.tif 000003
【図２】
2004015316.tif 000004
【図３】
2004015316.tif 000005
【図４】
2004015316.tif 000006
【図５】
2004015316.tif 000007
【図６】
2004015316.tif 000008
【図７】
2004015316.tif 000009